(57)【特許請求の範囲】
【請求項１】
生体の末梢循環抵抗に基づいて末梢循環状態を監視するための末梢循環状態監視装置であって、
前記生体の相互に異なる部位において該生体の心拍に同期して発生する脈波をそれぞれ検出する一対の脈波センサと、
該一対の脈波センサにより検出される各脈波の位相差を算出する位相差算出手段と、
前記生体の末梢循環抵抗と該生体の相互に異なる部位において検出される脈波の位相差との間の予め設定された関係から、前記位相差算出手段によって算出された実際の位相差に基づいて、該生体の末梢循環抵抗を決定する末梢循環抵抗決定手段と、
前記脈波センサにより検出された脈波形状の立ち下がり曲線に対応する下降指標値を算出する下降指標値算出手段とを、含み
前記末梢循環抵抗決定手段は、該下降指標値算出手段により算出された下降指標値に基づいて前記末梢循環抵抗を修正することを特徴とする末梢循環状態監視装置。
【請求項２】
前記生体の血圧値を測定する血圧測定手段をさらに含み、
前記末梢循環抵抗決定手段は、位相差および血圧値を変数とする函数である前記予め設定された関係から、実際の位相差および血圧値に基づいて末梢循環抵抗を算出するものである請求項１の末梢循環状態監視装置。
【請求項３】
前記末梢循環抵抗決定手段により逐次決定された末梢循環抵抗を時系列的にトレンド表示するトレンド表示手段をさらに含むものである請求項１の末梢循環状態監視装置。
【請求項４】
前記血圧測定手段は、前記生体に装着されたカフの圧迫圧力を変化させることにより血圧値を測定するものであり、
前記一対の脈波センサの一方は、前記カフと、該カフの圧力を検出する圧力センサと、該圧力センサにより検出されたカフ内の圧力のうち心拍に同期して発生する圧力振動波を脈波として抽出する脈波弁別回路とから成るものである請求項２の末梢循環状態監視装置。
【請求項５】
前記一対の脈波センサの他方は、前記生体の動脈に対して皮膚の上から押圧されてその動脈に発生する圧脈波を検出する圧脈波センサである請求項４の末梢循環状態監視装置。
【発明の詳細な説明】
【０００１】
【産業上の利用分野】
本発明は、生体の末梢循環抵抗に基づいて末梢循環状態を監視するための末梢循環状態監視装置に関するものである。
【０００２】
【従来の技術】
たとえば、手術室或いは集中治療室において患者を監視するに際しては、血圧値が用いられる場合が多い。しかしながら、血圧値は圧力に過ぎないから、血圧値がある程度の値を示しているからと言って血液が充分に循環しているとは限らない。このため、生体の末梢循環状態を知るために、患者の手先や足先などの末梢部に接触してその末梢部の体温が低いか否かも医療従事者の監視情報の１つとされている位である。
【０００３】
これに対し、生体の基幹部の血圧値と末梢部の血圧値とを測定し且つ共通の時間軸上において両者を並列的にトレンド表示させることにより、生体の末梢循環状態の変化を的確に且ついち早く発見できるようにする提案が為されている。たとえば、本出願人が先に出願し且つ公開された特開昭６１−１１９２３９号に記載された血圧モニタ装置がそれである。
【０００４】
【発明が解決すべき課題】
しかしながら、上記従来の装置によれば、生体の末梢循環状態の変化がトレンド表示から判定され得るけれども、生体の基幹部の血圧値と末梢部の血圧値の変化をそれぞれ示す２つの曲線を対比して監視人が定性的に判定する必要があることから、ある程度の熟練を必要とししかも末梢循環状態の変化を定量的に知ることが不可能であった。特に、全身麻酔状態における患者の容体を監視するに際しては、神経の興奮、血圧調整剤、体温などの影響により末梢循環状態の変化が大きいので、上記のようなことが重要な観察事項となる。
【０００５】
本発明は、以上の事情を背景として為されたものであり、その目的とするところは、生体の末梢循環状態およびその変化を正確に把握できるようにする末梢循環状態監視装置を提供することにある。
【０００６】
【課題を解決するための第１の手段】
上記目的を達成するための本発明の要旨とするところは、生体の末梢循環抵抗に基づいて末梢循環状態を監視するための末梢循環状態監視装置であって、(a) 前記生体の相互に異なる部位においてその生体の心拍に同期して発生する脈波をそれぞれ検出する一対の脈波センサと、(b) それら一対の脈波センサにより検出される各脈波の位相差を算出する位相差算出手段と、(c) 前記生体の末梢循環抵抗とその生体の相互に異なる部位において検出される脈波の位相差との間の予め設定された関係から、前記位相差算出手段によって算出された実際の位相差に基づいて、その生体の末梢循環抵抗を決定する末梢循環抵抗決定手段と、(d) 前記脈波センサにより検出された脈波形状の立ち下がり曲線に対応する下降指標値を算出する下降指標値算出手段とを含み、前記末梢循環抵抗決定手段は、その下降指標値算出手段により算出された下降指標値に基づいて前記末梢循環抵抗を修正することにある。
【０００７】
【作用および第１発明の効果】
このようにすれば、位相差算出手段が一対の脈波センサにより検出される各脈波の位相差を算出すると、末梢循環抵抗決定手段は、生体の末梢循環抵抗とその生体の相互に異なる部位において検出される脈波の位相差との間の予め設定された関係から、上記位相差算出手段によって算出された実際の位相差に基づいて、その生体の末梢循環抵抗を決定する。この末梢循環抵抗が高ければ末梢循環状態が悪くなる一方、反対に末梢循環抵抗が低ければ末梢循環状態がよくなるというように、末梢循環抵抗と末梢循環状態とは相互に密接な関係があるから、本発明によれば、末梢循環抵抗決定手段により決定された生体の末梢循環抵抗により、生体の末梢循環状態およびその変化を正確に把握できるようになる。また、末梢循環抵抗決定手段は、上記下降指標値算出手段により算出された下降指標値に基づいて末梢循環抵抗を修正することから、一層正確に生体の末梢循環抵抗が決定される。
【０００８】
ここで、上記一対の脈波センサは、動脈から発生する圧脈波を検出するために生体の動脈の真上に装着される圧力センサ、生体のインピーダンスの変化であるインピーダンス脈波を検出するために電極が生体の皮膚に接触させられるインピーダンス脈波センサ、動脈壁の変位或いは振動を超音波を用いて検出するために皮膚に接触させられる超音波脈波センサ、たとえばパルスオキシメータや脈拍計などに用いられるような光の透過光或いは反射光の変化である光電脈波を検出するために生体の皮膚の上に装着される光電脈波センサなどが用いられ得、たとえば左右の腕、或いは上腕と頭部、腕と足などのように生体の相互に異なる部位に装着される。また、前記位相差算出手段により算出される位相差は、たとえば前記一対の脈波センサによりそれぞれ検出された脈波間の上ピークまたは下ピークの間隔から求められる。
【０００９】
【課題を解決するための第２の手段】
また、前記目的を達成するためのものであって請求項２に対応する第２発明の要旨とするところは、上記第１発明の構成要件に加えて、前記生体の血圧値を測定する血圧測定手段をさらに含み、前記末梢循環抵抗決定手段は、位相差および血圧値を変数とする函数である前記予め設定された関係から、実際の位相差および血圧値に基づいて末梢循環抵抗を算出することにある。
【００１０】
【作用および第２発明の効果】
このようにすれば、末梢循環抵抗決定手段は、位相差および血圧値を変数とする函数である前記予め設定された関係から、実際の位相差および血圧値に基づいて末梢循環抵抗を算出することから、末梢循環抵抗決定手段により一層正確に生体の末梢循環抵抗が決定される。末梢循環抵抗は、正確には位相差および血圧値の函数であるからである。したがって、本発明によれば、生体の末梢循環状態およびその変化を一層正確に把握できるようになる。
【００１３】
【課題を解決するための第３の手段】
また、前記目的を達成するためのものであって請求項３に対応する第３発明の要旨とするところは、前記第１発明の構成要件に加えて、前記末梢循環抵抗決定手段により逐次決定された末梢循環抵抗を時間系列的にトレンド表示するトレンド表示手段をさらに含むことにある。
【００１４】
【作用および第３発明の効果】
このようにすれば、末梢循環抵抗決定手段により逐次決定された末梢循環抵抗がトレンド表示手段により時間系列的にトレンド表示されるので、末梢循環抵抗の変化が容易に把握できる利点がある。
【００１５】
【課題を解決するための第４の手段】
また、前記目的を達成するためのものであって請求項４に対応する第４発明の要旨とするところは、前記第２発明の構成要件において、前記血圧測定手段は、前記生体に装着されたカフの圧迫圧力を変化させることにより血圧値を測定するものであり、前記一対の脈波センサの一方は、前記カフと、そのカフの圧力を検出する圧力センサと、その圧力センサにより検出されたカフ内の圧力のうち心拍に同期して発生する圧力振動波を脈波として抽出する脈波弁別回路とから成ることにある。
【００１６】
【作用および第４発明の効果】
このようにすれば、血圧測定手段は、生体に装着されたカフの圧迫圧力を変化させることにより血圧値を測定するものであり、一対の脈波センサの一方は、前記カフと、そのカフの圧力を検出する圧力センサと、その圧力センサにより検出されたカフ内の圧力のうち心拍に同期して発生する圧力振動波を脈波として抽出する脈波弁別回路とから成ることから、血圧測定装置において必要とされる部品を共用することによって脈波センサの一方が構成される利点がある。
【００１７】
【課題を解決するための第５の手段】
また、前記目的を達成するためのものであって請求項５に対応する第５発明の要旨とするところは、前記第５発明の構成要件において、前記一対の脈波センサの他方は、生体の動脈に対して皮膚の上から押圧されてその動脈に発生する圧脈波を検出する圧脈波センサであることにある。
【００１８】
【作用および第５発明の効果】
このようにすれば、一対の脈波センサの他方が、生体の動脈に対して皮膚の上から押圧されてその動脈に発生する圧脈波を検出する圧脈波センサであることから、連続血圧測定装置において必要とされる圧脈波センサを共用できる利点がある。
【００１９】
【実施例】
以下、本発明の一実施例を図面に基づいて詳細に説明する。図１は、前記第１発明が適用された血圧監視装置８の構成を説明する図である。
【００２０】
図１において、血圧監視装置８は、ゴム製袋を布製帯状袋内に有してたとえば患者の上腕部１２に巻回されるカフ１０と、このカフ１０に配管２０を介してそれぞれ接続された圧力センサ１４、切換弁１６、および空気ポンプ１８とを備えている。この切換弁１６は、カフ１０内への圧力の供給を許容する圧力供給状態、カフ１０内を徐々に排圧する徐速排圧状態、およびカフ１０内を急速に排圧する急速排圧状態の３つの状態に切り換えられるように構成されている。
【００２１】
圧力センサ１４は、カフ１０内の圧力を検出してその圧力を表す圧力信号ＳＰを静圧弁別回路２２および脈波弁別回路２４にそれぞれ供給する。静圧弁別回路２２はローパスフィルタを備え、圧力信号ＳＰに含まれる定常的な圧力すなわちカフ圧を表すカフ圧信号ＳＫを弁別してそのカフ圧信号ＳＫをＡ／Ｄ変換器２６を介して電子制御装置２８へ供給する。
【００２２】
上記脈波弁別回路２４はバンドパスフィルタを備え、圧力信号ＳＰの振動成分である脈波信号ＳＭ１  を周波数的に弁別してその脈波信号ＳＭ１  をＡ／Ｄ変換器３０を介して電子制御装置２８へ供給する。この脈波信号ＳＭ１  が表すカフ脈波は、患者の心拍に同期して図示しない上腕動脈から発生してカフ１０に伝達される圧力振動波であり、上記カフ１０、圧力センサ１４、および脈波弁別回路２４は、一方の脈波センサとして機能している。図２の上段の波形は、上記カフ１０を通して検出されたカフ脈波の一例を示している。
【００２３】
上記電子制御装置２８は、ＣＰＵ２９，ＲＯＭ３１，ＲＡＭ３３，および図示しないＩ／Ｏポート等を備えた所謂マイクロコンピュータにて構成されており、ＣＰＵ２９は、ＲＯＭ３１に予め記憶されたプログラムに従ってＲＡＭ３３の記憶機能を利用しつつ信号処理を実行することにより、Ｉ／Ｏポートから駆動信号を出力して切換弁１６および空気ポンプ１８を制御する。
【００２４】
圧脈波検出プローブ３４は、前記カフ１０が装着されているか或いは装着されていない上腕部１２の動脈下流側の手首４２において、容器状を成すハウジング３６の開口端が体表面３８に対向する状態で装着バンド４０により手首４２に着脱可能に取り付けられるようになっている。ハウジング３６の内部には、ダイヤフラム４４を介して圧脈波センサ４６が相対移動可能かつハウジング３６の開口端からの突出し可能に設けられており、これらハウジング３６およびダイヤフラム４４等によって圧力室４８が形成されている。この圧力室４８内には、空気ポンプ５０から調圧弁５２を経て圧力エアが供給されるようになっており、これにより、圧脈波センサ４６は圧力室４８内の圧力に応じた押圧力ＰＨＤで前記体表面３８に押圧される。
【００２５】
上記圧脈波センサ４６は、たとえば、単結晶シリコン等から成る半導体チップの押圧面５４に多数の半導体感圧素子（図示せず）が配列されて構成されており、手首４２の体表面３８の撓骨動脈５６上に押圧されることにより、撓骨動脈５６から発生して体表面３８に伝達される圧力振動波すなわち圧脈波を検出し、その圧脈波を表す圧脈波信号ＳＭ２  をＡ／Ｄ変換器５８を介して電子制御装置２８へ供給する。図２の下段の波形は、圧脈波センサ４６により検出された圧脈波の一例を示している。
【００２６】
また、前記電子制御装置２８のＣＰＵ２９は、ＲＯＭ３１に予め記憶されたプログラムに従って、空気ポンプ５０および調圧弁５２へ駆動信号を出力し、圧力室４８内の圧力すなわち圧脈波センサ４６の皮膚に対する押圧力を調節する。これにより、血圧監視に際しては、圧力室４８内の圧力変化過程で逐次得られる圧脈波に基づいて圧脈波センサ４６の最適押圧力ＰＨＤＰ  が決定され、圧脈波センサ４６の最適押圧力ＰＨＤＰ  を維持するように調圧弁５２が制御される。
【００２７】
図４は、上記血圧監視装置８における電子制御装置２８の制御機能の要部を説明する機能ブロック線図である。図において、血圧測定手段７２は、カフ１０の圧迫圧力を緩やかに上昇させ或いは下降させる圧迫圧力変化過程において脈波弁別回路２４により採取される脈波の大きさの変化に基づいて良く知られたオシロメトリック法（ＪＩＳ  Ｔ  １１１５）により患者の最高血圧値ＳＡＰおよび最低血圧値ＤＡＰを測定する。圧脈波センサ４６は、好ましくは患者のカフ１０が装着される腕と異なる腕の手首に押圧されることによりその手首の撓骨動脈から発生する圧脈波を検出する。圧脈波血圧対応関係決定手段７４は、圧脈波センサ４６により検出される圧脈波の大きさＰＭ  と血圧測定手段７２により測定された血圧値（監視血圧値ＭＢＰ）との間の対応関係を所定の患者について予め決定する。この対応関係は、たとえば図３に示すものであり、ＭＢＰ＝Ａ・ＰＭ  ＋Ｂ式により表される。但し、Ａは傾きを示す定数、Ｂは切片を示す定数である。監視血圧値決定手段７６は、その対応関係から圧脈波センサ４６により検出される圧脈波の大きさＰＭ  すなわち最高値（上ピーク値）ＰＭ２ｍａｘ  および最低値（下ピーク値）ＰＭ２ｍｉｎ  に基づいて最高血圧値ＭＢＰＳＹＳ  および最低血圧値ＭＢＰＤＩＡ  （モニタ血圧値）を逐次決定し、その決定した監視血圧値ＭＢＰを表示器３２に連続的に出力させる。カフ圧昇圧手段７８は、上記関係のキャリブレーションのために所定の周期で起動させられる血圧測定手段７２の測定期間において、カフ１０の圧迫圧力をよく知られた測定手順にしたがって変化させる。たとえば、カフ圧昇圧手段７８は、患者の最高血圧より高い１８０ｍｍＨｇ程度に設定された昇圧目標値までカフ１０を昇圧させた後に、血圧測定アルゴリズムが実行される測定区間では３ｍｍＨｇ／ｓｅｃ程度の速度で緩やかに降圧させ、血圧測定が終了するとカフ１０の圧力を解放させる。
【００２８】
一方、位相差算出手段８０は、監視血圧値決定手段７６により監視血圧値ＭＢＰがモニタされる血圧監視期間において、前記圧脈波センサ４６によって撓骨動脈５６から検出された圧脈波と、たとえばＭＢＰＤＩＡ  よりも充分に低い予め設定された保持圧に維持されているカフ１０により上腕動脈からカフ１０の圧力振動として得られるカフ脈波との間の位相差ＤＣＰ（ｍｓｅｃ）を逐次算出する。末梢循環抵抗決定手段８２は、生体の末梢循環抵抗とその生体の相互に異なる部位から検出される脈波の位相差との間の予め設定された関係から、上記位相差算出手段８０によって算出された実際の位相差ＤＣＰに基づいて、生体の末梢循環抵抗ＲＢＦを決定する。この末梢循環抵抗ＲＢＦは、生体の平均血圧値をＭＡＰ（ｍｍＨｇ）、所定の末梢部分に流入する平均血流量をＭＢＦ（ｃｍ３／ｓｅｃ  ）とすると、ＭＢＦ／ＭＡＰによって表される。
【００２９】
好適には、この末梢循環抵抗決定手段８２は、たとえば図５に示すような位相差および生体の血圧値を変数とする函数から、実際の位相差および血圧値に基づいて末梢循環抵抗ＲＢＦを決定する。末梢循環抵抗ＲＢＦと位相差ＤＣＰとの間にはたとえば図６に示す基本的な関係が存在するが、その位相差ＤＣＰは、たとえば図７に示すように生体の血圧値にも影響されることから、それら図６および図７に示す関係から図５に示す関係が決定されるのである。
【００３０】
さらに好適には、たとえば圧脈波センサ４６により検出された圧脈波の立ち下がり曲線に対応する下降指標値を算出する下降指標値算出手段８４が含まれ、上記末梢循環抵抗決定手段８２は、その下降指標値を用いて末梢循環抵抗ＲＢＦを修正する。たとえば、上記下降指標値は、圧脈波の立ち下がり曲線の曲率、時定数、或いは％ＭＡＰなどにより表される。圧脈波の立ち下がり曲線は血管の軟らかさ（弛緩状態）に関連する値であり、上記％ＭＡＰは、たとえば図８に示すように、脈波形状における振幅値ｂ（すなわち脈圧ＳＡＰ−ＤＡＰ）に対する平均血圧値ＭＡＰ（脈波面積の重心位置に対応）の高さａ（ＭＡＰ−ＤＡＰ）の割合ａ／ｂ（×１００％）として定義される。また、上記末梢循環抵抗決定手段８２による末梢循環抵抗ＲＢＦの修正は、上記下降指標値である％ＭＡＰは、末梢循環抵抗ＲＢＦの函数であるから、たとえばその函数から実際の％ＭＡＰに基づいて第２の末梢循環抵抗を算出し、位相差ＤＣＰに基づいて決定された末梢循環抵抗とその第２の末梢循環抵抗との重付け平均値が算出されることにより行われる。
【００３１】
そして、上記末梢循環抵抗決定手段８２において逐次決定された末梢循環抵抗ＲＢＦは、トレンド表示手段８６によって表示器３２の画面上に時系列的にトレンド表示される。図９はそのトレンド表示の一例である。
【００３２】
図１０および図１１は、上記電子制御装置２８の制御作動の要部を説明するフローチャートである。図のステップＳＡ１（以下、ステップを省略する。）では、圧力室４８内が徐速昇圧させられ、この圧力室４８内の徐速昇圧過程で圧脈波センサ４６により逐次検出される圧脈波の振幅が最大となる圧力室４８内の圧力すなわち圧脈波センサ４６の最適押圧力ＰＨＤＰ  が決定されるとともに、圧力室４８内の圧力がその最適押圧力ＰＨＤＰ  に保持されることにより、圧脈波センサ４６の押圧力が最適な一定値にホールドされる。
【００３３】
次いで、前記カフ圧昇圧手段７８に対応するＳＡ２では、血圧測定のためにカフ１０の昇圧が開始される。次いで、血圧測定手段７２に対応するＳＡ３において血圧測定アルゴリズムが実行される。すなわち、切換弁１６を圧力供給状態に切り換え且つ空気ポンプ１８を作動させてカフ１０内の圧力を患者の予想される最高血圧値よりも高い目標圧力（たとえば１８０ｍｍＨｇ）までＳＡ２の昇圧に引き続いて昇圧させた後、空気ポンプ１８を停止させ且つ切換弁１６を徐速排圧状態に切り換えてカフ１０内の圧力を予め定められた３ｍｍＨｇ／ｓｅｃ程度の緩やかな速度で下降させることにより、この徐速降圧過程で逐次得られる脈波信号ＳＭ１  が表す脈波の振幅の変化に基づいて、良く知られたオシロメトリック方式の血圧値決定アルゴリズムに従って最高血圧値ＳＡＰ、平均血圧値ＭＡＰ、および最低血圧値ＤＡＰが測定されるとともに、脈波間隔に基づいて脈搏数などが決定されるのである。そして、その測定された血圧値および脈搏数などが表示器３２に表示されるとともに、切換弁１６が急速排圧状態に切り換えられてカフ１０内が急速に排圧される。
【００３４】
次に、前記圧脈波血圧対応関係決定手段７４に対応するＳＡ４では、圧脈波センサ４６からの圧脈波の大きさ（絶対値すなわち圧脈波信号ＳＭ２  の大きさ）と上記ＳＡ３において測定されたカフ１０による血圧値ＳＡＰ、ＤＡＰとの間の対応関係が求められる。すなわち、圧脈波センサ４６からの圧脈波が１拍読み込まれ且つその圧脈波の最高値ＰＭ２ｍａｘ  および最低値ＰＭ２ｍｉｎ  が決定されるとともに、それら圧脈波の最高値ＰＭ２ｍａｘ  および最低値ＰＭ２ｍｉｎ  とＳＡ３にてカフ１０により測定された最高血圧値ＳＡＰおよび最低血圧値ＤＡＰとに基づいて、図３に示す圧脈波の大きさＰＭ  と血圧値との間の対応関係が決定されるのである。
【００３５】
上記のようにして圧脈波血圧対応関係が決定されると、ＳＡ５において、１つの脈波が入力されたか否かが判断される。このＳＡ５の判断が否定された場合には１つの脈波が入力されるまで待機させられるが、ＳＡ５の判断が肯定された場合には、前記監視血圧値決定手段７６に対応するＳＡ６およびＳＡ７において、前記最適押圧力ＰＨＤＰ  における圧脈波センサ４６からの圧脈波の最高値ＰＭ２ｍａｘ  （上ピーク値）および最低値ＰＭ２ｍｉｎ  （下ピーク値）がそれぞれ決定され、次いでＳＡ４にて求められた図３の圧脈波血圧対応関係から、上記圧脈波の最高値ＰＭ２ｍａｘ  および最低値ＰＭ２ｍｉｎ  に基づいて最高血圧値ＭＢＰＳＹＳ  および最低血圧値ＭＢＰＤＩＡ  （モニタ血圧値）が決定されるとともに、その決定されたモニタ血圧値が圧脈波の連続波形と共に表示器３２に表示される。
【００３６】
次いで、ＳＡ８では、たとえば図１１に示す末梢循環抵抗算出ルーチンが実行される。図１１において、前記位相差算出手段８０に対応するＳＡ８−１では、圧脈波センサ４６によって撓骨動脈５６から検出された圧脈波と、たとえばＭＢＰＤＩＡ  よりも充分に低い予め設定された保持圧に維持されているカフ１０により上腕動脈からカフ１０の圧力振動として得られるカフ脈波とが読み込まれるとともに、それら圧脈波とカフ脈波との間の位相差ＤＣＰ（ｍｓｅｃ）が、ＳＡ５において圧脈波の入力が判定される毎に逐次算出される。この位相差ＤＣＰは、たとえば上記圧脈波およびカフ脈波のそれぞれの上ピーク点の時間間隔から求められる。
【００３７】
次いで、前記下降指標値算出手段８４に対応するＳＡ８−２では、圧脈波センサ４６により検出された圧脈波の立ち下がり部分の特徴的な形状を反映する下降指標値として％ＭＡＰが、その圧脈波の振幅ｂおよび重心位置値までの高さａの比ａ／ｂ（×１００％）として算出される。続いて、前記末梢循環抵抗決定手段８２に対応するＳＡ８−３では、たとえば図５に示す予め記憶された関係から実際の位相差ＤＣＰおよび血圧値（監視血圧値ＭＢＰ或いはカフ１０を用いて測定された血圧値ＡＰ）に基づいて末梢循環抵抗ＲＢＦが算出される。上記血圧値としては、図５の血圧値が最高血圧値であれば最高監視血圧値ＭＢＰＳＹＳ  或いは最高血圧値ＳＡＰが用いられるが、図５の血圧値が最低血圧値であれば最低監視血圧値ＭＢＰＤＩＡ  或いは最低血圧値ＤＡＰが用いられる。
【００３８】
また、上記ＳＡ８−３では、図５に示す関係から求められた末梢循環抵抗ＲＢＦが、必要に応じて、％ＭＡＰに基づいて修正される。たとえば、圧脈波の立ち下がり曲線の特徴を示す上記％ＭＡＰは、血管の柔軟度に関連する末梢循環抵抗ＲＢＦおよび血圧値の函数であるから、その函数から実際の％ＭＡＰ或いはその％ＭＡＰおよび血圧値に基づいて第２の末梢循環抵抗ＲＢＦ２  を算出し、当初の末梢循環抵抗ＲＢＦと第２の末梢循環抵抗ＲＢＦ２  との重付け平均値を求めることなどにより修正される。
【００３９】
そして、前記トレンド表示手段８６に対応するＳＡ８−４では、それまでに１拍毎に逐次求められた末梢循環抵抗ＲＢＦが共通の時間軸に沿ってプロットされることにより、たとえば図９に示すように、表示器３２の画面にトレンド表示される。
【００４０】
以上のようにして末梢循環抵抗算出ルーチンが実行されると、図１０のＳＡ９では、前記ステップＳＡ３においてカフ１０による血圧測定が行われてからの経過時間が予め設定された１０乃至２０分程度の設定周期すなわちキャリブレーション周期を経過したか否かが判断される。このＳＡ９の判断が否定された場合には、前記ＳＡ５以下の血圧監視ルーチンおよび末梢循環抵抗算出ルーチンが繰り返し実行され、最高監視血圧値ＭＢＰＳＹＳ  および最低監視血圧値ＭＢＰＤＩＡ  が１拍毎に連続的に決定され且つ表示される。しかし、このＳＡ９の判断が肯定された場合には、前記対応関係を再決定するために前記ＳＡ２以下が再び実行される。
【００４１】
上述のように、本実施例によれば、位相差算出手段８０に対応するＳＡ８−１において、圧脈波およびカフ脈波の位相差ＤＤＰが算出されると、末梢循環抵抗決定手段８２に対応するＳＡ８−３においては、生体の末梢循環抵抗とその生体の相互に異なる部位において検出される脈波の位相差との間の図５に示す関係から、上記位相差算出手段８０によって算出された実際の位相差ＤＤＰに基づいて、生体の末梢循環抵抗ＲＢＦが算出される。その末梢循環抵抗ＲＢＦが高ければ末梢循環状態が悪くなる一方、反対に末梢循環抵抗ＲＢＦが低ければ末梢循環状態がよくなるというように、末梢循環抵抗ＲＢＦと末梢循環状態とは相互に密接な関係があるので、本実施例によれば、末梢循環抵抗決定手段８２により決定された生体の末梢循環抵抗ＲＢＦにより、生体の末梢循環状態およびその変化を正確に把握できるようになる。
【００４２】
また、本実施例によれば、末梢循環抵抗決定手段８２に対応するＳＡ８−３において末梢循環抵抗ＲＢＦを求めるに際しては、図５に示すような位相差および血圧値を変数とする函数（関係）が用いられると共に、血圧測定手段７２により測定された血圧値ＡＰ或いは監視血圧値決定手段７６により決定された監視血圧値ＭＢＰが、位相差ＤＣＰに加えて用いられるので、一層正確に生体の末梢循環抵抗ＲＢＦが決定される。末梢循環抵抗ＲＢＦは、正確には位相差ＤＣＰおよび血圧値の函数であるからである。
【００４３】
また、本実施例によれば、下降指標値算出手段８４に対応するＳＡ８−２において、実際に検出された脈波の立ち下がり曲線に対応する下降指標値すなわち％ＭＡＰが算出され、末梢循環抵抗決定手段８２に対応するＳＡ８−３において末梢循環抵抗ＲＢＦを求めるに際しては、脈波の立ち下がり曲線に対応する下降指標値すなわち％ＭＡＰに基づいて  図５に示す関係から位相差ＤＣＰに基づいて求められた末梢循環抵抗ＲＢＦが修正されるので、一層正確に生体の末梢循環抵抗ＲＢＦが決定される。
【００４４】
また、本実施例によれば、トレンド表示手段８６に対応するＳ８−４において、末梢循環抵抗決定手段８２に対応するＳ８−３により逐次決定された末梢循環抵抗ＲＢＦが表示器３２において時間系列的にトレンド表示されるので、末梢循環抵抗ＲＢＦの変化が容易に把握できる利点がある。
【００４５】
また、本実施例によれば、前記生体に装着されたカフ１０の圧迫圧力を変化させることにより血圧値を測定する血圧測定手段７２が設けられ、一対の脈波センサの一方は、そのカフ１０と、カフ１０の圧力を検出する圧力センサ１４と、その圧力センサ１４により検出されたカフ１０内の圧力のうち心拍に同期して発生する圧力振動波を脈波として抽出する脈波弁別回路２４とから構成されるので、血圧測定装置において必要とされる部品を共用することによって脈波センサの一方が構成される利点がある。
【００４６】
また、本実施例によれば、一対の脈波センサの他方は、生体の動脈に対して皮膚の上から押圧されてその動脈に発生する圧脈波を検出する圧脈波センサ４６であることから、連続血圧測定装置において必要とされる圧脈波センサ４６を末梢循環抵抗ＲＢＦの監視のために共用できる利点がある。
【００４７】
以上、本発明の一実施例を図面に基づいて説明したが、本発明はその他の態様においても適用される。
【００４８】
たとえば、前述の実施例のＳＡ８−３では、図５に示す関係から実際の位相差ＤＣＰおよび血圧値に基づいて末梢循環抵抗ＲＢＦが決定されていたが、たとえば図６に示す関係から実際の位相差ＤＣＰに基づいて末梢循環抵抗ＲＢＦが決定されてもよい。
【００４９】
また、前述の実施例では、１対の脈波センサの一方が、血圧測定装置のカフ１０と、カフ１０の圧力を検出する圧力センサ１４と、その圧力センサ１４により検出されたカフ１０内の圧力のうち心拍に同期して発生する圧力振動波を脈波として抽出する脈波弁別回路２４とから構成され、１対の脈波センサの他方が連続血圧監視装置の圧脈波センサ４６が用いられることにより、共用されていたが、位相差ＤＣＰを検出するための一対の脈波センサの一方或いは他方は、皮膚の接触圧力の変化、皮膚の透過光或いは反射光の変化、皮膚内のインピーダンスの変化などに基づいて脈波を検出する独立した脈波センサにより構成されてもよい。
【００５０】
また、前述の実施例の位相差算出手段８０では、カフ脈波および圧脈波の下ピーク点の発生時間差を求めることにより位相差ＤＣＰが求められてもよい。
【００５１】
また、前記血圧測定手段７２は、所謂オシロメトリック法に従い、カフ１０の圧迫圧力に伴って変化する圧脈波の大きさの変化状態に基づいて血圧値を決定するように構成されていたが、所謂コロトコフ音法に従い、カフ１０の圧迫圧力に伴って発生および消滅するコロトコフ音に基づいて血圧値を決定するように構成されてもよい。
【００５２】
その他、本発明はその主旨を逸脱しない範囲において種々変更が加えられ得るものである。
【図面の簡単な説明】
【図１】本発明の一実施例である血圧監視装置の構成を示すブロック図である。
【図２】図１の実施例の圧脈波センサにより検出される圧脈波および脈波弁別回路により検出されるカフ脈波を例示する図である。
【図３】図１の実施例において用いられる対応関係を例示する図である。
【図４】図１の実施例の制御装置の制御機能の要部を説明する機能ブロック線図である。
【図５】図１の実施例に用いられる位相差および血圧値と末梢循環抵抗との関係を示す図である。
【図６】生体において相互に異なる２ヵ所において検出される脈波の位相差と末梢循環抵抗との間の基本的な関係を説明する図である。
【図７】生体において相互に異なる２ヵ所において検出される脈波の位相差の血圧値による影響を説明する図である。
【図８】脈波の立ち下がり曲線の特徴を示す下降指標値の１つである％ＭＡＰの定義を説明する図である。
【図９】図１の実施例により算出された末梢循環抵抗がトレンド表示された状態を示す図である。
【図１０】図１の実施例の制御装置の制御作動の要部を説明するフローチャートである。
【図１１】図１０の末梢循環抵抗算出ルーチンを詳しく示す図である。
【符合の説明】
１０：カフ、１４：圧力センサ、２４：脈波弁別回路（脈波センサ）
４６：圧脈波センサ（脈波センサ）
８０：位相差算出手段
８２：末梢循環抵抗決定手段
８４：下降指標値算出手段
８６：トレンド表示手段
【図１】
0003602880.tif 000002
【図２】
0003602880.tif 000003
【図３】
0003602880.tif 000004
【図４】
0003602880.tif 000005
【図５】
0003602880.tif 000006
【図６】
0003602880.tif 000007
【図７】
0003602880.tif 000008
【図８】
0003602880.tif 000009
【図９】
0003602880.tif 000010
【図１０】
0003602880.tif 000011
【図１１】
0003602880.tif 000012